(57)【要約】      （修正有）【課題】買物籠の移動がしやすいレジ台とし、さらに、そのレジ台を使用して、顧客が、買物籠をショッピングカートからレジ台上に移すことなく精算ができるレジカウンターシステムを提供する。【解決手段】ショッピングカートＧの下部Ｇｂと、上部の買物籠載置部Ｇａとが挿入する突出部２ａを有する上板部２と、それを後方で支えて高さ位置を確保すると共に転倒防止手段を備えた保持部５とからなるレジ台１とし、買物籠Ｈを搭載したショッピングカートＧを、レジ台１の突出部２ａに篏合させた状態で全幅に亘って移動可能とし、さらに、移動に支障のない場所に、ＲＦＩＤリーダーＥ等の商品読取装置及び表示装置Ｆを設けた精算システムを搭載し、顧客Ｋが、買物籠ＨをショッピングカートＧから外すことなく、レジ担当者Ｌが精算できるようにしたレジカウンターシステムとした。【選択図】図３
2019106086.tif 000002
【特許請求の範囲】
【請求項１】
ショッピングカートの下部が収納されると同時に、上部の買物籠載置部で覆われる突出部を有する上板部と、それを後方で支えて高さ位置を確保すると共に転倒防止手段を備えた保持部とからなるレジ台。
【請求項２】
上板部の奥行の寸法は、買物籠が載置でき、且つ、突出部の出代を、ショッピングカートの下部先端が保持部と当接する以内の寸法としたことを特徴とする請求項１に記載のレジ台。
【請求項３】
保持部は、上板部の高さ位置を確保する側板部と、転倒防止手段として、該側板部の後方に重量バランス部を形成することを特徴とする請求項１または２に記載にレジ台。
【請求項４】
保持部は、上板部の高さ位置を確保する側板部と、転倒防止手段として、該側板部の下方に形成され、建造物の床面に設けられた穴部に挿入する差し込み部とからなることを特徴とする請求項１または２に記載のレジ台。
【請求項５】
保持部は、上板部の高さ位置を確保する側板部と、転倒防止手段として、該側板部の下端に少なくとも上板部の突出部と同方向に突出して形成された底板部とからなることを特徴とする請求項１または２に記載にレジ台。
【請求項６】
ショッピングカートの下部が収納されると同時に、上部の買物籠載置部で覆われる突出部を有する上板部と、それを後方で支えて高さ位置を確保すると共に転倒防止手段を備えた保持部とからなるレジ台に、買物籠を搭載したショッピングカートを、上記レジ台の上板部に篏合させた形態で全幅に亘って移動可能とした状態で、上記ショッピングカートの移動に支障のない場所に商品読取装置及び表示装置を設けた精算システムを搭載することにより、顧客が上記買物籠をショッピングカートから外すことなく、レジ担当者が精算できるようにしたことを特徴とするレジカウンターシステム。
【請求項７】
精算システムとして、ＲＦＩＤ（ｒａｄｉｏ  ｆｒｅｑｕｅｎｃｙ  ｉｄｅｎｔｉｆｉｅｒ）技術を使用することを特徴とする請求項６に記載のレジカウンターシステム。
【請求項８】
精算システムとして、ＰＯＳシステム（ｐｏｉｎｔ  ｏｆ  ｓａｌｅｓ  ｓｙｓｔｅｍ）を使用することを特徴とする請求項６に記載のレジカウンターシステム。
【発明の詳細な説明】
【技術分野】
【０００１】
本発明は、スーパーマーケット等で使用されているレジ台及びそれを使用したレジカウンターシステムに関するものである。
【背景技術】
【０００２】
従来のレジカウンターシステムは、例えば特許文献１に示されるように、レジ担当者の側方のチェックアウト台上に自動釣銭機能を有するＰＯＳ端末が配置され、レジ担当者の正面側に幅広のレジ台（カウンター台）が配置されていて、そのレジ台（カウンター台）の荷受け面における顧客の通路側に、表示操作部を有する商品読取装置が柱状のハウジングを介して立設されている。
そして、顧客は、ショッピングカートを使用した場合に、商品の入った買物籠を、ショッピングカートからレジ台（カウンター台）の荷受け面に移し替え、レジ担当者が商品読取装置を使って精算した後に、再度、商品の入った買物籠をショッピングカート上に移し替えて、その状態でショッピングカートを所定位置まで移動し、購入商品を取り出すことにより買い物を終えることになる
【先行技術文献】
【特許文献】
【０００３】
【特許文献１】特開２０１３−４５４２７号公報
【発明の概要】
【発明が解決しようとする課題】
【０００４】
しかしながら、このようなレジカウンターシステムを使用したスーパーマーケット等においては、レジ台上に商品読取装置が設置されているため、レジ担当者にとっては、買物籠の移動がしにくいという不都合があり、さらに、買物籠は商品読取装置の前を通す必要があるため、レジ台の奥行寸法は必然的に買物籠の幅より大きなものとなり、レジ台が大型化して経済面や設置スペース的な不都合が含まれるものとなっていた。
また、顧客にとっては、買物籠を、ショッピングカートからレジ台（カウンター台）に移し替える作業、及び、精算後に、レジ台（カウンター台）からショッピングカートに移し替える操作を余儀なくされるようになっており、労力を軽減できる改善が期待されていた。
そこで、本発明は、これらの改善を行うことができるレジ台及びそれを使用したレジカウンターシステムを提供することを課題とする。
【課題を解決するための手段】
【０００５】
上記の課題を鋭意検討の結果、それを解決するには、レジ台上の商品読取装置を無くし、さらに、顧客が買物籠をショッピングカートから移し替える操作をしなくて済む態様があれば可能であると考え、本発明を創作するに至った。
【０００６】
具体的には、先ず、レジ台を、ショッピングカートの下部が収納されると同時に、上部の買物籠載置部で覆われる突出部を有する上板部と、それを後方で支えて高さ位置を確保すると共に転倒防止手段を備えた保持部とで構成するのが好ましい。
【０００７】
このような構成とすれば、レジ台は、上板部の下方が、えぐられた不安定な形状ながら、転倒することなく安定した形態を維持することができる。
そして、上板部の下方の全体がえぐられていることにより、そこをショッピングカートの下部が自由に通過できる利点が生じることになる。
【０００８】
なお、上板部の奥行の寸法は、買物籠が載置でき、且つ、突出部の出代を、ショッピングカートの下部先端が保持部と当接する以内の寸法とするのが望ましい。
【０００９】
このようにすれば、レジ台の奥行寸法を小さくすることができるので小型化させることができ、レジ台の製造コストを下げ、設置スペースも小さくすることができる利点が生じる。
【００１０】
また、レジ台の保持部は、上板部の高さ位置を確保する側板部と、転倒防止手段として、該側板部の後方に重量バランス部を形成するようにして構成することができる。
【００１１】
この構成であれば、簡単な構造でレジ台の転倒を防止することができ、重要バランスもサイドテーブル等として活用ができるという利点がある。
【００１２】
そして、レジ台の保持部は、上板部の高さ位置を確保する側板部と、転倒防止手段として、その側板部の下方に形成され、建造物の床面に設けられた穴部に挿入する差し込み部とで構成してもよい。
【００１３】
この場合は、建造物に加工を施す不都合はあるものの、レジ台自体はシンプルで小型の形態で実施することができる利点がある。
【００１４】
さらに、レジ台の保持部は、上板部の高さ位置を確保する側板部と、転倒防止手段として、その側板部の下端に少なくとも上板部の突出部と同方向に突出して形成された底板部とで構成してもよい。
【００１５】
この場合には、レジ台の重心の下方に底板部が存在することになるので、形状的に転倒する恐れはないものとなる。
【００１６】
なお、ショッピングカートの下部が収納されると同時に、上部の買物籠載置部で覆われる突出部を有する上板部と、それを後方で支えて高さ位置を確保すると共に転倒防止手段を備えた保持部とからなるレジ台に、買物籠を搭載したショッピングカートを、レジ台の上板部に篏合させた形態で全幅に亘って移動可能とした状態で、ショッピングカートの移動に支障のない場所に商品読取装置及び表示装置を設けた精算システムを搭載することにより、顧客が買物籠をショッピングカートから外すことなく、レジ担当者が精算できるようにした、レジカウンターシステムとしてもよい。
【００１７】
このシステムによれば、顧客が購入商品を入れた買物籠を乗せたショッピングカートを、レジ台の上板部に差し込んで篏合させた状態で移動するだけで、レジ担当者が精算作業を行うことができるので、顧客の買物籠をレジ台に移す労力を省略できる利点がある。
【００１８】
また、必然的に、レジ台上には、従来のような商品読取装置を設ける必要がなくなるので、奥行き幅を最小限にして小型化させることができる。
【００１９】
なお、精算システムとしては、ＲＦＩＤ（ｒａｄｉｏ  ｆｒｅｑｕｅｎｃｙ  ｉｄｅｎｔｉｆｉｅｒ）技術を使用することができる。
【００２０】
この技術を使えば、商品の読み取り及び精算は自動的に行われるので、基本的には、商品の移し替え作業が不要になる利点がある。
【００２１】
また、精算システムとして、ＰＯＳシステム（ｐｏｉｎｔ  ｏｆ  ｓａｌｅｓ  ｓｙｓｔｅｍ）を使用することもできる。
【００２２】
このシステムによれば、レジ担当者には、購入商品の読み取り操作を行う際、その購入商品を元の買物籠から他の買物籠へ移し替える作業が生じるが、顧客は、この場合でも、買物籠に触れる必要がないという利点がある。
【発明の効果】
【００２３】
本発明によれば、レジ台は、ショッピングカートを差し込んだ状態で移動ができる利便性の高いものとなる。
また、奥行寸法を小さくすることができるので小型化し、製造コストの低減や、配置スペースを減少させることができる。
さらに、顧客にとっては、買物籠をショッピングカートに載せたままで、レジ台上をスムーズに移動せることができ、さらに、購入品の入った買物籠をショッピングカートから外すことなく精算が行われるので、労力が少なく移動もしやすいものとなる。
【図面の簡単な説明】
【００２４】
【図１】本発明による実施例１のレジ台を表わしたものであり、（ａ）は正面から見た斜視図、（ｂ）は背面から見た斜視図、（ｃ）は正面図、（ｄ）は右側面図、（ｅ）はＡ−Ｂ断面図を示す。
【図２】本発明による実施例１のレジ台の応用を表わしたものであり、（ａ）は応用例１、（ｂ）は応用例２を示す。
【図３】本発明による実施例１のレジカウンターシステムにおけるショッピングカートの装着状況を表わしたものであり、（ａ）は斜視図、（ｂ）は装着前の側面図、（ｃ）は装着後の側面図を示す。
【図４】本発明による実施例１のレジカウンターシステムにおけるショッピングカートの移動と精算状況を表わしたものであり、（ａ）は斜視図、（ｂ）は平面図を示す。
【図５】本発明による実施例１のレジカウンターシステムにおける表示器の設置場所の変形例を示す。
【図６】本発明による実施例１のレジ台の変形例１を表わしたものであり、（ａ）は斜視図、（ｂ）は正面図、（ｃ）は右側面図、（ｄ）は設置状態の斜視図を示す。
【図７】本発明による実施例１のレジ台の変形例２を表わしたものであり、（ａ）は斜視図、（ｂ）は正面図、（ｃ）は右側面図を示す。
【図８】本発明による実施例２のレジカウンターシステムの概要の平面図を表わしたものであり、（ａ）はショッピングカートの搬入、（ｂ）は買物籠の移動、（ｃ）は詰め替え用買物籠のショッピングカートへの設置、（ｄ）は商品情報の読み取りと詰め替え、（ｅ）は精算と空になった買物籠の移動、（ｆ）はショッピングカートの搬出を示す。
【図９】本発明による実施例２のレジカウンターシステムの変形例の概要図を表わしたものであり、（ａ）はショッピングカートの搬入、（ｂ）は商品情報の読み取りと詰め替え、（ｃ）は空になった買物籠（詰め替え用買物籠になる）の移動、（ｄ）は商品の入った買物籠のショッピングカートへの移し替えとショッピングカートの移動、（ｅ）は精算とショッピングカートの移動及び詰め替え用買物籠の移動、（ｆ）は詰め替え用買物籠の設置とショッピングカートの搬出を示す。
【発明を実施するための形態】
【００２５】
本発明は、レジ台上に商品読取装置を配置しないで済むレジ台及びそれを利用したレジカウンターシステムに関するものであり、以下実施例に沿って具体的に説明する。
【実施例１】
【００２６】
図１は、本実施例のレジ台を表わしたものであり、図１（ａ）は正面から見た斜視図、図１（ｂ）は背面から見た斜視図、図１（ｃ）は正面図、図１（ｄ）は右側面図、図１（ｅ）は図１（ａ）におけるＡ−Ｂ断面図を示している。
これらの図で表されるように、レジ台１は、下方の前方にえぐり部４が形成された突出部２ａを有する上板部２、この上板部２を後方で支えて高さ位置を確保するための側板部６と、その後方の両端にサイドテーブル部７ａ、７ｂを設けた保持部５とで構成されている。
図中３は補強リブで、上板部２の突出部２ａの傾きを防止することを目的としたものであり、図の示す形状に限らず適宜に選択し実施することができる。但し、強度上の問題がなければ省略しても構わない。
【００２７】
なお、上板部２の奥行寸法Ｃａは、レジ台として、少なくとも買物籠が載置できるものとなっており、さらに、以下に述べる本実施例のレジカウンターシステムに使用するものとしては、突出部の出代Ｃｂは、ショッピングカートＧの下部Ｇｂの下部先端Ｇｃが、保持部５に当接する以内の寸法とするのが好ましい態様となる。
【００２８】
また、本実施例におけるサイドテーブル部７ａ、７ｂは、レジ台１の転倒を防止する重量バランス部７として機能するものであり、図中には引き出し７ｃや扉７ｄを開示しているが、具体的な態様は、適宜な構造を選択し実施することができる。
【００２９】
ちなみに、図１（ｂ）の背面から見た斜視図に破線で表すように、サイドテーブル部７ａ、７ｂ間の下方を繋ぐ踏板部８を形成してもよい。
そのようにすると、この部分も重量バランス部として機能させることができる。
【００３０】
なお、重量バランス部の形態は上記した構成に限らない。
即ち、レジ台が上板部の突出部側から転倒しないように、重量バランスが保たればよいのであって、保持部自体を高重量にしたり、重石的な部材を取り付けたり、適宜に変形して実施してよいものである。
【００３１】
そして、レジ台１は、本実施例においては、次のように使用する。
即ち、図２（ａ）の応用例１に示すように、上述したサイドテーブル部７ｂ上に自動釣銭器Ｄを配置するのが通常使用となる。
従って、この状況においても重量バランス部の機能を向上させることができる。
さらに、この状態から、図２（ｂ）の応用例２に示すように、自動釣銭器Ｄ上に購入商品の精算時に使われる表示器Ｆを設ける。
【００３２】
なお、本実施例において、購入商品を読み取るための方法は、ＲＦＩＤ（ｒａｄｉｏ  ｆｒｅｑｕｅｎｃｙ  ｉｄｅｎｔｉｆｉｅｒ）技術を用いるので、上板部２の後方に、ＲＦＩＤリーダーＥが設けられる。
但し、このＲＦＩＤリーダーＥは、後述するレジ台１にショッピングカートＧを装着して移動させるのに支障がない範囲で、適宜位置に取り付けてもよい。
【００３３】
次に本実施例のレジカウンターシステムについて図３，４を用いて説明する。
図３は、本実施例のレジカウンターシステムにおけるショッピングカートの装着状況を表わしたものであり、図３（ａ）は斜視図、図３（ｂ）は装着前の側面図、図３（ｃ）は装着後の側面図を示す。
【００３４】
これらの図に表わされるように、レジ台１は図２（ｂ）の応用例２の状態のものを用いる。
即ち、レジ台１の天板２の前方には、下方に全幅に亘ってえぐり部４が設けられた突出部２ａ形成されており、サイドテーブル部７ｂ上には、自動釣銭器Ｄが、その上方には表示器Ｆが設けられ、さらに上板部２の後方に、ＲＦＩＤリーダーＥが設けられている。
また、レジ台１の後方にはレジ担当者Ｌが待機し、購入商品の精算を行うようになっている。
【００３５】
なお、ショッピングカートＧの買物籠載置部Ｇａ上には、購入商品Ｊａ、Ｊｂの入った買物籠Ｈが載せられており、顧客Ｋは、ショッピングカートＧを押せば、キャスターＧｄにて任意の方向に移動が可能な状況にある。
【００３６】
この状態から、図３（ａ）の斜視図及び図３（ｂ）の側面図中の矢印に示す方向に、ショッピングカートＧをレジ台１のえぐり部４に差し込むと、図３（ｃ）の装着後の側面図に表わされるように、レジ台１の上板部２の突出部２ａに対して、ショッピングカートＧの買物籠載置部Ｇａが上面を覆い、下部Ｇｂが完全に収納されることになる。
なお、この図に示すように、レジ台１は、その上板部２の突出部２ａの突出代Ｃｂを、ショッピングカートＧの下部Ｇａの下部先端Ｇｃが保持部５に当接する以内の寸法にすると、レジ台１が小型化することになり、生産コストが低減し、設置スペースも少なくて済む利点が生じる。
【００３７】
以下、この状態を含めて、本レジカウンターシステムについて、図４（ａ）のショッピングカートの移動と精算状況を示す斜視図、および、図４（ｂ）のショッピングカートの移動と精算状況を示す平面図を用いて説明する。
但し、図中の丸囲いは、鍵括弧「  」を用いることとする。
【００３８】
先ず、先に図３（ａ）〜（ｃ）を用いて説明したように、購入商品Ｊａ、Ｊｂの入った買物籠Ｈが載せられたショッピングカートＧを、レジ台１の上板部２の突出部２ａに差し込み搬入する。（「Ｘ」位置参照）
次に、ショッピングカートＧを、矢印で示すように「Ｙ」位置まで移動させる。
すると、ＲＦＩＤリーダーＥにより商品情報が読み取られると共に、会計計算されていることになるので、この位置でレジ担当者Ｌと顧客Ｋ間とで精算がなされる。
その後、購入商品Ｊａ、Ｊｂの入った買物籠Ｈが載せられたショッピングカートＧを、矢印の方向に移動し、レジ台１から搬出することになる。（「Ｚ」位置参照）
【００３９】
以上のように、本実施例におけるレジカウンターシステムによれば、顧客Ｋは、購入商品Ｊａ、Ｊｂの入った買物籠Ｈを載せたショッピングカートＧを移動するだけで精算できるので、従来のように、ショッピングカートに載せられた購入商品の入った買物籠をレジ台に移し替える手間がなくなる。
従って、顧客Ｋ、及び、レジ担当者Ｌ共に労力を軽減することができる利点がある。
【００４０】
なお、表示器Ｆの設置場所については、上記実施例の場所に拘らず、適宜に選択して実施することができる。
図５は、その変形例を示したものであり、例えば、レジ台１が置かれた室内の天井に配管設備Ｎがある場合には、表示器Ｆは吊り具Ｍ等を介して、吊り下げるようにしてもよく、レジ台の上部に直接載置しない限りにおいて、レジ台の配置状況に合わせて、顧客や、レジ担当者にとって見やすい場所で実施すればよい。
また、図中Ｆａは、表示器接続コードであり、この図に限らず、配管設備Ｎに沿わす等、適宜の形態で設置すればよい。
【００４１】
また、レジ台の構成も、上記実施例に限らず実施することができる。
図６は、本発明による実施例１のレジ台の変形例１を表わしたものであり、図６（ａ）は斜視図、図６（ｂ）は正面図、図６（ｃ）は右側面図、図６（ｄ）は設置状態の斜視図を示す。
【００４２】
これらの図に示すように、レジ台１１は、上板部１２と、その後方下方に配置される保持部１５とで構成されている。
上板部１２は、前方が、下方にえぐり部１４を形成する突出部１２ａとなっており、後方の保持部１５との接合部とは、複数の補強リブ１３で姿勢を補強するのが好ましい態様となる。
保持部１５は、上板部１２の後方と接合する側板部１６と、その下端から突出する複数の差し込み部１７とで構成される。
【００４３】
そして、このレジ台１１を使用する場合は、図６（ａ）は斜視図で示す床面Ｑに形成されている複数の穴部Ｑａに対して、前述した保持部１５の側板部１６の下端から突出する多数の差し込み部１７を矢印の方向に差し込むと、図６（ｄ）のように、レジ台１１は、床面Ｑに対して直立して設置されることになる。
そして、その後方に、受台Ｄａを配置し、その上に自動釣銭器Ｄを載置すれば、精算可能な状態とすることができる。
【００４４】
また、レジ台は、他の形態でも実施することができる。
図７は、本発明による実施例１のレジ台の変形例２を表わしたものであり、図７（ａ）は斜視図、図７（ｂ）は正面図、図７（ｃ）は右側面図を示す。
【００４５】
このレジ台２１は、上板部２２と、その後方に接合される保持部２５とで構成され、上板部２２の前方の下方には、えぐり部２４を形成する突出部２２ａを形成する点は、これまでの実施例及び変形例１と同様であるが、保持部２５の構成及び作用効果が大きく異なっている。
即ち、この保持部２５は、上板部２２の後方を支える側板部２６の下端には、上板部の突出部と同方向に突出して形成された底板部２７が形成されており、この構成だと、レジ台２１の重心は、必ず側板部２６より前方で、底板部２７の上方となるので、形状自体でレジ台が転倒することのない安定したものとなっている。
【００４６】
なお、図中２３は補強リブであり、上板部２２や、底板部２７の側板部２６との接合強度を向上させる必要がある場合に設けるのが好ましい態様となる。
また、図中、２７ａ，２７ｂ，２７ｃは、底板部２７の側板部２６側を除く３側面方向に設けられた傾斜面であり、後述するショッピングカートの移動がしやすいように設けるものである。
【００４７】
但し、レジ台２１を載置する床面に、底板部２７の厚さと同等の深さの陥没部を設けることができれば、これらの傾斜面２７ａ，２７ｂ，２７ｃは、設ける必要はない。
このように、レジ台は、転倒防止手段を設けることができれば、各種に変形して実施することが可能である。
【実施例２】
【００４８】
本発明のレジカウンターシステムは、実施例１のような、精算システムとして、ＲＦＩＤ（ｒａｄｉｏ  ｆｒｅｑｕｅｎｃｙ  ｉｄｅｎｔｉｆｉｅｒ）技術を使用することなく、ＰＯＳシステム（ｐｏｉｎｔ  ｏｆ  ｓａｌｅｓ  ｓｙｓｔｅｍ）で実施することも可能である。
【００４９】
図８は、本発明による実施例２のレジカウンターシステムの概要の平面図を表わしたものであり、図８（ａ）はショッピングカートの搬入、図８（ｂ）は買物籠の移動、図８（ｃ）は詰め替え用買物籠のショッピングカートへの設置、図８（ｄ）は商品情報の読み取りと詰め替え、図８（ｅ）は精算と空になった買物籠の移動、図８（ｆ）はショッピングカートの搬出を示している。
【００５０】
なお、これらの図におけるレジ台１は、実施例１に用いたものを使用しているが、変形例等に示す形態等、適宜に選択し使用してもよい。
また、バーコードスキャナーＰは、ハンディタイプのもので開示しているが、別途固定式のものを設置してもよい。
【００５１】
具体的には、先ず図８（ａ）のショッピングカートの搬入の概要図のように、レジ台１には、サイドテーブル部７ａには詰替え用の空の買物籠Ｈａが、サイドテーブル部７ｂに自動釣銭器Ｄが、それぞれ設置され、また、その間にはハンディ式のバーコードスキャナーＰが着脱自在に取り付けられており、その直後に配置されるレジ担当者Ｌが、精算処理をできる状況となっている。
また、顧客Ｋの持ったショッピングカートＧには、買物籠載置部Ｇａ上に購入商品Ｊａ，Ｊｂの入った買物籠Ｈが載置されており、この状態で、レジ台１の上板部２の突出部２ａに篏合するようにして矢印の方向に移動させる。
【００５２】
そして、図８（ｂ）に示すように、レジ担当者Ｌの立ち位置から僅か過ぎた所で停止させると、レジ担当者Ｌは、商品の入った買物籠Ｈを、ショッピングカートＧの買物籠載置部Ｇａの横に移動させる。
次に、図８（ｃ）のように、載置物のなくなったショッピングカートＧの買物籠載置部Ｇａに対し、レジ担当者Ｌが、サイドテーブル部７ｂに準備されている詰替え用の空の買物籠Ｈａを移す。
【００５３】
この状態から、レジ担当者Ｌは、図８（ｄ）のように、商品の入った買物籠Ｈから購入商品Ｊａ，Ｊｂを、バーコードスキャナーＰで商品情報を読み取りつつ、ショッピングカートＧの買物籠載置部Ｇａに載置されている詰替え用の空の買物籠Ｈａに移し替える。
なお、この作業が終わった時点で、最初は空だった詰替え用の買物籠Ｈａは商品入りの買物籠Ｈに、最初に商品の入っていた買物籠Ｈは空になって詰替え用の買物籠Ｈａに、それぞれ切り替わることになる。
【００５４】
そして、図８（ｅ）の状態で、レジ担当者Ｌと顧客Ｋとで購入商品の精算を行った後、レジ担当者Ｌは、詰替え用の買物籠Ｈａをレジ台１のサイドテーブル部７ａに移動させ、顧客Ｋは、購入商品Ｊａ，Ｊｂの入った買物籠Ｈを載せたショッピングカートＧを矢印の方向に移動することになる。
【００５５】
すると、図８（ｆ）に示すように、ショッピングカートＧは、レジ台１の上板部２の突出部２ａとの篏合が外れ、矢印に示すようにレジ台１から搬出することができる。
また、詰替え用の買物籠Ｈａは、レジ台１のサイドテーブル部７ａに載置されると共に、上板部２の突出部２ａ上には何も載置されていない状態、即ち、図８（ａ）の状態に戻ることになり、以下同様に精算作業が繰り返し行われることになる。
【００５６】
このように、精算システムを、ＰＯＳシステム（ｐｏｉｎｔ  ｏｆ  ｓａｌｅｓ  ｓｙｓｔｅｍ）としても、顧客が買物籠をショッピングカートから外す作業を行わずに精算作業を行うことが可能である。
【００５７】
なお、ＰＯＳシステム（ｐｏｉｎｔ  ｏｆ  ｓａｌｅｓ  ｓｙｓｔｅｍ）を使用した精算システムは、次のように実施することもできる。
図９は、本発明による実施例２のレジカウンターシステムの変形例の概要図を表わしたものであり、図９（ａ）はショッピングカートの搬入、図９（ｂ）は商品情報の読み取りと詰め替え、図９（ｃ）は空になった買物籠（詰め替え用買物籠になる）の移動、図９（ｄ）は商品の入った買物籠のショッピングカートへの移し替えとショッピングカートの移動、図９（ｅ）は精算とショッピングカートの移動及び詰め替え用買物籠の移動、図９（ｆ）は詰め替え用買物籠の設置とショッピングカートの搬出を示している。
【００５８】
具体的に説明すると、先ず図９（ａ）のショッピングカートの搬入の概要図のように、レジ台１には、上部に何も置かれていないサイドテーブル部７ａが、上部に自動釣銭器Ｄが載置されたサイドテーブル部７ｂが、それぞれ設置され、また、その間にはハンディ式のバーコードスキャナーＰが着脱自在に取り付けられていると共に、精算処理をするためのレジ担当者Ｌが配置されている。
そして、レジ台１の上板部２の突出部２ａには、レジ担当者Ｌの前方でサイドテーブル部７ｂ寄りの位置に、詰替え用の空の買物籠Ｈａが載置されている。
【００５９】
また、顧客Ｋの持ったショッピングカートＧには、買物籠載置部Ｇａ上に購入商品Ｊａ，Ｊｂの入った買物籠Ｈが載置されており、この状態で、レジ台１の上板部２の突出部２ａに篏合するようにして矢印の方向に移動させる。
【００６０】
そして、図９（ｂ）に示すように、ショッピングカートＧを、詰替え用の空の買物籠Ｈａの横で停止すると、レジ担当者Ｌが、商品の入った買物籠Ｈから購入商品Ｊａ，Ｊｂの商品情報をバーコードスキャナーＰで読み取りつつ、詰替え用の空の買物籠Ｈａに移し替える。
なお、この作業が終わった時点で、最初は空だった詰替え用の買物籠Ｈａは商品入りの買物籠Ｈに、最初に商品の入っていた買物籠Ｈは空になって詰替え用の買物籠Ｈａに、それぞれ切り替わることになる。
【００６１】
次に、図９（ｃ）のように、レジ担当者Ｌは、空状態の詰替え用の買物籠Ｈａを矢印のように、サイドテーブル部７ａに移動させる。
すると、図９（ｄ）のように、ショッピングカートＧの買物籠載置部Ｇａの上には何もなくなることになるので、レジ担当者Ｌは、そこに購入商品Ｊａ，Ｊｂの入った買物籠Ｈを移し替える。
【００６２】
そして、その状態から、顧客Ｋは、ショッピングカートＧを太い矢印で示すように移動して、図９（ｅ）に示すように自動釣銭器Ｄ近くで停止させ、レジ担当者Ｌとで購入商品の精算を行った後、ショッピングカートＧを矢印の方向に移動する。
また、それと同時に、レジ担当者Ｌは、詰替え用の空の買物籠Ｈａを矢印の方向に移動させる。
【００６３】
すると、図９（ｆ）のように、ショッピングカートＧは、レジ台１との篏合が外れることになるので、顧客Ｋは、ショッピングカートＧを希望の場所へ搬出することになる。
そして、詰替え用の空の買物籠Ｈａを、レジ担当者Ｌの前方で自動釣銭器Ｄが載置されたサイドテーブル部７ｂ寄りの位置に停止させると、レジ台１は、図９（ａ）で示したショッピングカートの搬入の概要図の状態に戻り、以下同様に、ショッピングカートＧの搬入、搬出作業を繰り返し行うことが可能となる。
【産業上の利用可能性】
【００６４】
本発明は、基本的に、レジ台を前方下方がえぐられたものとすることで実施することができるものであり、簡単な構成で実現できるので、スーパーマーケット等の量販店で活用されることが期待できる。
【符号の説明】
【００６５】
Ｃａ  上板部の奥行寸法
Ｃｂ  突出部の出代寸法
Ｄ  自動釣銭器
Ｄａ  受台
Ｅ  ＲＦＩＤリーダー
Ｆ  表示器
Ｆａ  表示器接続コード
Ｇ  ショッピングカート
Ｇａ  買物籠載置部
Ｇｂ  下部
Ｇｃ  下部先端
Ｇｄ  キャスター
Ｈ  買物籠（商品入り）
Ｈａ  買物籠（詰替え用）
Ｊａ、Ｊｂ  購入商品
Ｋ  顧客
Ｌ  レジ担当者
Ｍ  吊り具
Ｎ  配管設備
Ｐ  バーコードスキャナー
Ｑ  床面
Ｑａ  穴部
１、１１、２１  レジ台
２、１２、２２  上板部
２ａ、１２ａ、２２ａ、  突出部
３、１３、２３  補強リブ
４、１４、２４  えぐり部
５、１５、２５  保持部
６、１６、２６  側板部
７  重量バランス部
７ａ、７ｂ  サイドテーブル部
７ｃ  引き出し
７ｄ  扉
８  踏板部
１７  差し込み部
２７  底板部
２７ａ、２７ｂ、２７ｃ  傾斜面
【図１】
2019106086.tif 000003
【図２】
2019106086.tif 000004
【図３】
2019106086.tif 000005
【図４】
2019106086.tif 000006
【図５】
2019106086.tif 000007
【図６】
2019106086.tif 000008
【図７】
2019106086.tif 000009
【図８】
2019106086.tif 000010
【図９】
2019106086.tif 000011